(57)【要約】【課題】  複製元となるＲＦＩＤタグと複製先となるＲＦＩＤタグとを識別し、物品情報を効率的に複製することが可能なＲＦＩＤタグ複製装置を提供することを目的とする。【解決手段】  記憶部に読み込んだ第１のＲＦＩＤタグと第２のＲＦＩＤタグの情報に基づいて、書込済みのＲＦＩＤタグと未書込のＲＦＩＤタグとを識別し、識別された書込済みのＲＦＩＤタグから未書込のＲＦＩＤタグに物品情報を複製する処理を実行するＲＦＩＤ複製装置を提供する。【選択図】      図１
2006331106.tif 000002
【特許請求の範囲】
【請求項１】
第１のＲＦＩＤタグおよび第２のＲＦＩＤタグと、所定の通信エリア内で通信が可能なＲＦＩＤタグ複製装置であって、
前記第１のＲＦＩＤタグおよび前記第２のＲＦＩＤタグとの間で情報の送受信を行う入出力部と、
前記第１のＲＦＩＤタグおよび前記第２のＲＦＩＤタグから送信された情報を格納する記憶部と、
演算処理を行う処理部と
を備え、
前記処理部は、
前記入出力部を介して受信した、前記第１のＲＦＩＤタグおよび前記第２のＲＦＩＤタグの情報を前記記憶部に格納する読込処理と、
前記読込処理において前記記憶部に格納された前記第１のＲＦＩＤタグおよび前記第２のＲＦＩＤタグの情報に基づいて、前記第１のＲＦＩＤタグおよび前記第２のＲＦＩＤタグのうち、書込済みのＲＦＩＤタグと未書込のＲＦＩＤタグとを識別する識別処理と、
前記識別処理において識別された前記書込済みのＲＦＩＤタグから前記未書込のＲＦＩＤタグに情報を複製する複製処理と、を実行すること
を特徴とするＲＦＩＤタグ複製装置。
【請求項２】
前記処理部は、
前記読込処理において、前記入出力部を介して、前記第１のＲＦＩＤタグおよび前記第２のＲＦＩＤタグの有効フラグの値をさらに受信して、前記記憶部に格納し、
前記識別処理において、前記読込処理によって前記記憶部に格納された前記第１のＲＦＩＤタグおよび前記第２のＲＦＩＤタグの有効フラグの値に基づいて、前記第１のＲＦＩＤタグおよび前記第２のＲＦＩＤタグのうち、書込済みのＲＦＩＤタグと未書込のＲＦＩＤタグとを識別すること
を特徴とする請求項１に記載のＲＦＩＤタグ複製装置。
【請求項３】
前記処理部は、
前記識別処理において識別された、前記書込済みのＲＦＩＤタグのタグ識別情報と、前記未書込のＲＦＩＤタグのタグ識別情報とを、それぞれ複製元のＲＦＩＤタグのタグ識別情報と複製先のＲＦＩＤタグのタグ識別情報として、管理サーバに送信する送信処理を実行すること
を特徴とする請求項１または請求項２に記載のＲＦＩＤタグ複製装置。
【請求項４】
ＲＦＩＤタグ複製装置と所定の通信エリア内で通信が可能なＲＦＩＤタグであって、
前記ＲＦＩＤタグ複製装置との間で情報の送受信を行う入出力部と、
情報を格納する記憶部と、
演算処理を行う処理部と
を備え、
前記記憶部は、
情報が書込済みであるか未書込であるかを識別するために使用される有効フラグを保持し、
前記処理部は、
所定の通信エリア内の前記ＲＦＩＤタグ複製装置に、前記入出力部を介して、前記記憶部に格納された有効フラグの値を送信し、前記ＲＦＩＤタグ複製装置に、情報が書込済みであるか未書込であるかを識別させること
を特徴とするＲＦＩＤタグ。
【請求項５】
ＲＦＩＤタグ複製装置と所定の通信エリア内で通信が可能なＲＦＩＤタグであって、
前記ＲＦＩＤタグ複製装置との間で情報の送受信を行う入出力部と、
情報を格納する記憶部と、
演算処理を行う処理部と
を備え、
前記記憶部は、
複製履歴を保持し、
前記処理部は、
所定の通信エリア内の前記ＲＦＩＤタグ複製装置に、前記入出力部を介して、前記記憶部に格納された複製履歴の値を送信し、前記ＲＦＩＤタグ複製装置の表示手段に複製履歴を出力すること
を特徴とするＲＦＩＤタグ。
【請求項６】
ＲＦＩＤタグを複製するＲＦＩＤタグ複製装置と有線または無線によって接続された管理サーバであって、
前記ＲＦＩＤタグ複製装置から情報を受信する外部インタフェースと、
情報を格納する記憶部と、
演算処理を行う処理部と
を備え、
前記記憶部は、
前記ＲＦＩＤタグの複製情報を管理するデータベースを格納し、
前記処理部は、
前記外部インタフェースを介して前記ＲＦＩＤタグ複製装置から受信した前記複製元のＲＦＩＤタグのタグ識別情報と、前記複製先のＲＦＩＤタグのタグ識別情報とに基づいて、前記データベースを更新するデータベース更新処理を実行すること
を特徴とする管理サーバ。
【請求項７】
ＲＦＩＤタグを複製するＲＦＩＤタグ複製装置と有線または無線によって接続された管理サーバが、当該管理サーバと通信回線によって接続された顧客端末に、当該管理サーバと通信回線によって接続された現場作業者端末から送信されたＲＦＩＤタグの複製情報を提供するＲＦＩＤタグ複製情報提供方法であって、
前記管理サーバは、
前記ＲＦＩＤタグ複製装置から情報を受信する外部インタフェースと、
情報を格納する記憶部と、
演算処理を行う処理部と
を備え、
前記記憶部は、
ＲＦＩＤタグの複製情報を管理するデータベースを格納し、
前記処理部は、
前記顧客端末を介して顧客によって入力された物品の分割または複製の指示を、前記外部インタフェースを介して受信する指示受信ステップと、
前記指示受信ステップにおいて受信した指示に基づいて、前記現場作業者端末に、前記外部インタフェースを介して物品の分割または複製の指示を送信する指示送信ステップと、
前記指示送信ステップで送信した物品の分割または複製の指示に対して、前記現場作業者端末を介して現場作業者によって返信された前記複製元のＲＦＩＤタグのタグ識別情報と、前記複製先のＲＦＩＤタグのタグ識別情報とを、前記外部インタフェースを介して受信する複製情報受信ステップと、
前記複製情報受信ステップで返信された前記複製元のＲＦＩＤタグのタグ識別情報と、前記複製先のＲＦＩＤタグのタグ識別情報とに基づいて、前記データベースを更新するデータベース更新ステップと、
前記データベース更新ステップにおいて更新された前記データベースの情報を、前記外部インタフェースを介して前記顧客端末に送信する複製情報送信ステップと、を実行すること
を特徴とするＲＦＩＤタグ複製情報提供方法。
【請求項８】
ＲＦＩＤタグの複製情報を管理するデータベースを管理する管理サーバと通信回線によって接続された顧客端末が、前記データベースの情報を画面に表示するＲＦＩＤタグ複製情報表示方法であって、
前記顧客端末は、
前記データベースの情報を前記管理サーバから受信する受信ステップと、
前記受信ステップにおいて受信した前記データベースの情報をツリー状にして前記画面に表示する表示ステップと、を実行すること
を特徴とするＲＦＩＤタグ複製情報表示方法。
【請求項９】
第１のＲＦＩＤタグおよび第２のＲＦＩＤタグと、所定の通信エリア内で通信が可能なＲＦＩＤタグ複製装置によるＲＦＩＤタグ複製方法であって、
前記ＲＦＩＤタグ複製装置は、
前記第１のＲＦＩＤタグおよび前記第２のＲＦＩＤタグとの間で情報の送受信を行う入出力部と、
前記第１のＲＦＩＤタグおよび前記第２のＲＦＩＤタグから送信された情報を格納する記憶部と、
演算処理を行う処理部と
を備え、
前記処理部は、
前記入出力部を介して受信した、前記第１のＲＦＩＤタグおよび前記第２のＲＦＩＤタグの情報を前記記憶部に格納する読込ステップと、
前記読込ステップにおいて前記記憶部に格納された前記第１のＲＦＩＤタグおよび前記第２のＲＦＩＤタグの情報に基づいて、前記第１のＲＦＩＤタグおよび前記第２のＲＦＩＤタグのうち、書込済みのＲＦＩＤタグと未書込のＲＦＩＤタグとを識別する識別ステップと、
前記識別ステップにおいて識別された前記書込済みのＲＦＩＤタグから前記未書込のＲＦＩＤタグに情報を複製する複製ステップと、を実行すること
を特徴とするＲＦＩＤタグ複製方法。
【発明の詳細な説明】
【技術分野】
【０００１】
本発明は、ＲＦＩＤ（Radio Frequency Identification）分野に係り、特に、ＲＦＩＤタグの情報複製装置、ＲＦＩＤタグ複製方法、ＲＦＩＤタグ、管理サーバ、ＲＦＩＤタグ複製情報提供方法、およびＲＦＩＤタグ複製情報表示方法に関するものである。
【背景技術】
【０００２】
物品を分割または複製する際に、物品を分割または複製した後に生じる物品に、分割または複製する前の物品の情報を複製する作業が必要となる場合がある。例えば、原子力プラント等で使用される配管は、厳しく管理され、配管を分割する際には、分割した後の配管に、分割する前の配管の情報を複製する必要がある。
【０００３】
従来、物品を分割または複製した後に生じる物品に、分割または複製する前の物品の情報を複製する方法として、作業者が、分割または複製する前の物品に直接書き込まれた情報を目視により確認し、目視によって得られた情報を、分割または複製した後に生じる物品に直接書き込む方法が一般的である。例えば、前記した原子力プラント等で使用される配管には、配管そのものに当該配管の材質情報、元となった配管から分割された日時等が刻印されており、配管を分割するときには、分割によって増えた新しい配管に、作業者が手作業で刻印を施す方法が一般的である。
【０００４】
また、製造物が入った第１の容器に取り付けられたＩＣカードに、製造物の原材料等の初期情報を記録しておき、製造物の一部を取り出して第２の容器に移すときに、第１の容器のＩＣカードのデータを第２の容器のＩＣカードにコピーする技術が開示されている（特許文献１参照）。さらに、特許文献１では、製造物に加工を行ったときに、その内容をＩＣカードに追記していき、履歴管理を行う技術、および追記した内容をサーバ等の管理手段に記録し、一括管理を行う技術が開示されている。
【特許文献１】特開２００２−２０３２１４号公報（段落００４３〜００５６、図１〜３）
【発明の開示】
【発明が解決しようとする課題】
【０００５】
しかしながら、従来の方法では、作業者が、手作業によって分割または複製した後に生じる物品にデータを書き込む必要があるので、作業工数が多くなってしまうという問題がある。例えば、前記した配管の例では、作業者が配管を分割する度に、分割した配管に材質情報や分割日時を刻み込んでいる。これは、作業者の工数が多くなってしまうだけでなく、配管が汚れてしまうと配管情報が読み取れないという欠点もある。また、複製履歴を効率的に作成することができないという問題がある。
【０００６】
また、特許文献１で開示されている技術によれば、一方のＩＣカードから他方のＩＣカードにコピーすることは可能であるが、コピー元のＩＣカードとコピー先のＩＣカードとを識別することができない。従って、どちらがコピー元のＩＣカードであるのかを作業者が記憶しておかなければならず、作業者がコピー元のＩＣカードとコピー先のＩＣカードとを取り違えてしまう可能性があるという問題がある。
【０００７】
本発明は、以上のような問題点に鑑みてなされたものであり、複製元となるＲＦＩＤタグと複製先となるＲＦＩＤタグとを識別し、物品情報を効率的に複製することが可能なＲＦＩＤタグの情報複製方法を提供することを目的とする。また、複製した情報を管理サーバに送り、複製履歴の管理用データベースを自動的に作成する方法を提供することを目的とする。
【課題を解決するための手段】
【０００８】
本発明は、前記目的を達成するために創案されたものであり、本発明のＲＦＩＤタグ複製装置は、第１のＲＦＩＤタグおよび第２のＲＦＩＤタグと、所定の通信エリア内で通信が可能なＲＦＩＤタグ複製装置であって、前記第１のＲＦＩＤタグおよび前記第２のＲＦＩＤタグとの間で情報の送受信を行う入出力部と、前記第１のＲＦＩＤタグおよび前記第２のＲＦＩＤタグから送信された情報を格納する記憶部と、演算処理を行う処理部とを備え、前記処理部が、前記入出力部を介して受信した、前記第１のＲＦＩＤタグおよび前記第２のＲＦＩＤタグの情報を前記記憶部に格納する読込処理と、前記読込処理において前記記憶部に格納された前記第１のＲＦＩＤタグおよび前記第２のＲＦＩＤタグの情報に基づいて、前記第１のＲＦＩＤタグおよび前記第２のＲＦＩＤタグのうち、書込済みのＲＦＩＤタグと未書込のＲＦＩＤタグとを識別する識別処理と、前記識別処理において識別された前記書込済みのＲＦＩＤタグから前記未書込のＲＦＩＤタグに情報を複製する複製処理と、を実行することを特徴とした。
【０００９】
かかる構成によれば、ＲＦＩＤ複製装置は、第１のＲＦＩＤタグと前記第２のＲＦＩＤタグのうち、どちらが複製元となるＲＦＩＤタグであり、どちらが複製先となるＲＦＩＤタグであるのかを自動で識別することが可能となり、複製元のＲＦＩＤタグから複製先のＲＦＩＤタグに物品情報を効率的に複製することが可能となる。なお、課題を解決するための他の手段は、後記する発明を実施するための最良の形態において明らかにする。
【発明の効果】
【００１０】
本発明によれば、ＲＦＩＤ複製装置は、複製元となるＲＦＩＤタグと複製先となるＲＦＩＤタグとを自動で識別することが可能となるため、複製元のＲＦＩＤタグから複製先のＲＦＩＤタグに物品情報を効率的に複製することが可能となる。
【発明を実施するための最良の形態】
【００１１】
次に、本発明を実施するための最良の形態（以下、「実施形態」という）について図面を参照して説明する。以下、「ＲＦＩＤタグ」を単に「タグ」ともいう。
【００１２】
（第１実施形態）
まず、図１を参照して、本発明の第１実施形態に係るＲＦＩＤタグ複製システムの構成について説明する。図１は、本発明の第１実施形態に係るＲＦＩＤタグ複製システムのブロック図である。
【００１３】
図１に示すように、ＲＦＩＤタグ複製システム１は、第１のＲＦＩＤタグ１０Ａと、第２のＲＦＩＤタグ１０Ｂと、ＲＦＩＤタグ複製装置２０とを備える。
【００１４】
第１のＲＦＩＤタグ１０Ａは、入出力部１１Ａと、処理部１２Ａと、記憶部１３Ａと、アンテナ１４Ａとを含んで構成される。
入出力部１１Ａは、電波によりアンテナ１４Ａを介してＲＦＩＤタグ複製装置２０と情報の送受信を無線で行うものである。
【００１５】
処理部１２Ａは、入出力部１１Ａを介してＲＦＩＤタグ複製装置２０から電波を受信すると、記憶部１３Ａからデータを読み込み、入出力部１１Ａを介してＲＦＩＤタグ複製装置２０に送信するものである。また、入出力部１１Ａを介してＲＦＩＤタグ複製装置２０からデータを受け取ると、入出力部１１Ａを介して記憶部１３Ａに格納するものである。
記憶部１３Ａは、データを格納するものである。
アンテナ１４Ａは、電波によりＲＦＩＤタグ複製装置２０と情報の送受信を無線で行うものである。
【００１６】
第２のＲＦＩＤタグ１０Ｂは、入出力部１１Ｂと、処理部１２Ｂと、記憶部１３Ｂと、アンテナ１４Ｂとを含んで構成される。
入出力部１１Ｂ、処理部１２Ｂ、記憶部１３Ｂ、およびアンテナ１４Ｂが有する機能については、それぞれ、入出力部１１Ａ、処理部１２Ａ、記憶部１３Ａ、およびアンテナ１４Ａと同様であるので、説明を省略する。
【００１７】
ＲＦＩＤタグ複製装置２０は、記憶部２１と、処理部２２と、外部インタフェース２３と、入出力部２４と、アンテナ２５とを含んで構成される。
記憶部２１は、第１のＲＦＩＤタグ１０Ａのデータと、第２のＲＦＩＤタグ１０Ｂのデータとを格納するものである。
【００１８】
処理部２２は、入出力部２４を介して読み込んだ第１のＲＦＩＤタグ１０Ａのデータと、第２のＲＦＩＤタグ１０Ｂのデータとを記憶部２１に格納するものである。
【００１９】
また、処理部２２は、第１のＲＦＩＤタグ１０Ａのデータと第２のＲＦＩＤタグ１０Ｂのデータとを比較して、書込済みのＲＦＩＤタグと未書込のＲＦＩＤタグとを識別し、書込済のＲＦＩＤタグの情報を、入出力部２４を介して未書込のＲＦＩＤタグに書き込むものである。
【００２０】
第１のＲＦＩＤタグ１０Ａと、第２のＲＦＩＤタグ１０Ｂとが、共に書込済みである場合は、共に既に物品情報を持っているＲＦＩＤタグであると判定され、その旨を伝えるエラー表示を行うようにしてもよい。また、第１のＲＦＩＤタグ１０Ａと、第２のＲＦＩＤタグ１０Ｂとが、共に未書込である場合は、共に物品情報を持っていないＲＦＩＤタグであると判定され、その旨を伝えるエラー表示を行うようにしてもよい。
【００２１】
さらに、処理部２２は、複製先のＲＦＩＤタグの情報を、外部インタフェース２３を介して管理サーバ３０へ送信する機能も有する。
【００２２】
ＲＦＩＤタグ複製装置２０は、複製先のタグにデータを複製する機能を有する装置であるが、タグを複製する機能を有するものであれば、装置の種類は特に限定されるものではない。例えば、タグのデータを読み込む機能とタグにデータを書き込む機能とを有するリーダライタにタグを複製する機能を持たせ、ＲＦＩＤタグ複製装置２０としてもよい。
【００２３】
次に、図２を参照（適宜図１参照）して、本発明の第１実施形態に係るＲＦＩＤタグに格納されるデータの構造について説明する。図２は、本発明の第１実施形態に係るＲＦＩＤタグのデータ構造を示す図であり、図２（ａ）は、第１のＲＦＩＤタグのデータ構造、図２（ｂ）は、第２のＲＦＩＤタグのデータ構造を示す図である。
【００２４】
図２（ａ）に示すように、第１のＲＦＩＤタグの情報２００Ａは、タグＩＤ２１０Ａと、物品情報２２０Ａと、複製管理情報２３０Ａとを含んで構成される。また、複製管理情報２３０Ａは、有効フラグ２３１Ａと、複製元タグＩＤ２３２Ａと、データ書込日時２３３Ａとを含んで構成される。また、タグＩＤ２１０Ａ以外の項目のビットは「０」などで初期化しておくことが好ましい。タグを複製する場合ではなく、物品の情報をタグに直接書き込む場合には、例えば、リーダライタ等を用いて、物品情報２２０Ａ、有効フラグ２３１Ａ、およびデータ書込日時２３３Ａに、それぞれ物品の材質等の情報、「１（書込済み）」および現在の日時を書き込むようにする。
【００２５】
タグＩＤ２１０Ａは、ＲＦＩＤタグに固有のＩＤであり、ＲＦＩＤタグの生産時にタグ毎に違った番号が書き込まれる。なお、特許請求の範囲に記載のタグ識別情報は、本実施形態におけるタグＩＤに相当するものである。
物品情報２２０Ａは、第１のＲＦＩＤタグ１０Ａの取り付けられた物品の材質などの情報を表すものである。
複製管理情報２３０Ａは、物品が分割または複製された場合の各種情報を管理するためのものである。
有効フラグ２３１Ａは、第１のＲＦＩＤタグ１０Ａにデータが書き込まれているかどうかを判定するために用いるものである。例えば、未書込の場合には、「０」を設定し、書込済みの場合には「１」を設定するなどの方法が考えられる。また、有効フラグ２３１Ａは、必須のものではなく、タグＩＤ２１０Ａ以外の項目が「０」で初期化された状態のままであれば、未書込であると判定するようにしてもよい。
複製元タグＩＤ２３２Ａは、第１のＲＦＩＤタグ１０Ａ自身が複製されたタグである場合に、複製元になったＲＦＩＤタグのＩＤを親のＩＤとして保持するためのものである。
データ書込日時２３３Ａは、第１のＲＦＩＤタグ１０Ａに情報が書き込まれた日時を表すものである。
【００２６】
例えば、第１のＲＦＩＤタグ１０Ａから第２のＲＦＩＤタグ１０Ｂにデータを複製する場合、物品情報２２０Ａを物品情報２２０Ｂに複製し、タグＩＤ２１０Ａを複製元タグＩＤ２３２Ｂに複製し、有効フラグ２３１Ｂに「１（書込済み）」を設定し、データ書込日時２３３Ｂに現在の日時を書き込む。第２のＲＦＩＤタグ１０Ｂから第１のＲＦＩＤタグ１０Ａにデータを複製する場合も同様な処理を行う。
【００２７】
また、例えば、第１のＲＦＩＤタグ１０Ａから第２のＲＦＩＤタグ１０Ｂにデータを複製する場合、タグＩＤ２１０Ｂ、データ書込日時２３３Ｂおよび複製元タグＩＤ２３２Ｂの情報を管理サーバ３０へ送信する。第２のＲＦＩＤタグ１０Ｂから第１のＲＦＩＤタグ１０Ａにデータを複製する場合も同様な処理を行う。
【００２８】
図２（ｂ）に示すように、第２のＲＦＩＤタグの情報２００Ｂは、タグＩＤ２１０Ｂと、物品情報２２０Ｂと、複製管理情報２３０Ｂとを含んで構成される。また、複製管理情報２３０Ｂは、有効フラグ２３１Ｂと、複製元タグＩＤ２３２Ｂと、データ書込日時２３３Ｂとを含んで構成される。
【００２９】
第２のＲＦＩＤタグの情報２００Ｂのデータ構造は、第１のＲＦＩＤタグ１０Ａのデータ構造と同じであるため、第２のＲＦＩＤタグの情報２００Ｂ内の各項目の説明を省略する。
【００３０】
次に、図３を参照（適宜図１および図２参照）して、本発明の第１実施形態に係るＲＦＩＤタグ複製装置２０の処理部２２が行う処理について説明する。図３は、本発明の第１実施形態に係るＲＦＩＤタグ複製装置の処理を示すフローチャートである。
【００３１】
まず、オペレータがＲＦＩＤタグ複製装置２０を操作し、第１のＲＦＩＤタグ１０Ａの記憶部１３Ａに格納されている第１のＲＦＩＤタグの情報２００ＡをＲＦＩＤタグ複製装置２０に読み込ませる。同様に、第２のＲＦＩＤタグ１０Ｂの記憶部１３Ｂに格納されている第２のＲＦＩＤタグの情報２００ＢもＲＦＩＤタグ複製装置２０に読み込ませる（Ｓ１０１）。
【００３２】
処理部２２は、読み込んだ第１のＲＦＩＤタグの情報２００Ａおよび第２のＲＦＩＤタグの情報２００Ｂを記憶部２１に格納する（Ｓ１０２）。
続いて、処理部２２は、記憶部２１に格納された有効フラグ２３１Ａの値を判定する（Ｓ１０３）。記憶部２１に格納された有効フラグ２３１Ａの値が「１（書込済み）」の場合（Ｓ１０３でＹｅｓの場合）、Ｓ１０４に進み、「０（未書込）」の場合（Ｓ１０３でＮｏの場合）、Ｓ１０８に進む。
【００３３】
Ｓ１０４に進んだ場合、処理部２２は、記憶部２１に格納された有効フラグ２３１Ｂの値を判定する（Ｓ１０４）。記憶部２１に格納された有効フラグ２３１Ｂの値が「０（未書込）」の場合（Ｓ１０４でＹｅｓの場合）、第１のＲＦＩＤタグ１０Ａが複製元のタグ、第２のＲＦＩＤタグ１０Ｂが複製先のＲＦＩＤタグであると判定され、処理部２２は、物品情報２２０Ｂ、複製元タグＩＤ２３２Ｂ、有効フラグ２３１Ｂおよびデータ書込日時２３３Ｂに、それぞれ物品情報２２０Ａ、タグＩＤ２１０Ａ、「１（書込済み）」および現在の日時を書き込む（Ｓ１０５）。そして、処理部２２は、管理サーバ３０のデータベースに、外部インタフェース２３を介して、タグＩＤ２１０Ｂ、複製元タグＩＤ２３２Ｂおよびデータ書込日時２３３Ｂを送信し（Ｓ１０６）、処理を終了する。記憶部２１に格納された有効フラグ２３１Ｂの値が「１（書込済み）」の場合（Ｓ１０４でＮｏの場合）、エラー表示を行い（Ｓ１０７）、処理を終了する。
【００３４】
Ｓ１０８に進んだ場合、処理部２２は、記憶部２１に格納された有効フラグ２３１Ｂの値を判定する（Ｓ１０８）。記憶部２１に格納された有効フラグ２３１Ｂの値が「１（書込済み）」の場合（Ｓ１０８でＹｅｓの場合）、第２のＲＦＩＤタグ１０Ｂが複製元のタグ、第１のＲＦＩＤタグ１０Ａが複製先のＲＦＩＤタグであると判定され、処理部２２は、物品情報２２０Ａ、複製元タグＩＤ２３２Ａ、有効フラグ２３１Ａおよびデータ書込日時２３３Ａに、それぞれ物品情報２２０Ｂ、タグＩＤ２１０Ｂ、「１（書込済み）」および現在の日時を書き込む（Ｓ１０９）。そして、処理部２２は、管理サーバ３０のデータベースに、外部インタフェース２３を介して、タグＩＤ２１０Ａ、複製元タグＩＤ２３２Ａおよびデータ書込日時２３３Ａを送信し（Ｓ１１０）、処理を終了する。記憶部２１に格納された有効フラグ２３１Ｂの値が「０（未書込）」の場合（Ｓ１０８でＮｏの場合）、エラー表示を行い（Ｓ１１１）、処理を終了する。
【００３５】
次に、図４を参照（適宜図１および図２参照）して、本発明の第１実施形態に係る管理サーバ３０の構成について説明する。図４は、本発明の第１実施形態に係る管理サーバのブロック図である。
【００３６】
図４に示すように、管理サーバ３０は、記憶部３１と、処理部３２と、入力部３３と、表示部３４と、外部インタフェース３５とを備える。管理サーバ３０は、例えばワークステーション等によって実現される。
【００３７】
記憶部３１は、タグの情報を管理するデータベースを含んで構成される。タグの情報を管理するデータベースについては、後記する。記憶部３１は、例えばハードディスク等の記憶装置によって実現される。
【００３８】
処理部３２は、外部インタフェース３５を介して記憶部３１に格納されたタグの情報を管理するデータベースの閲覧要求を受信した場合は、当該データベースの内容を、外部インタフェース３５を介して閲覧要求の発信元に送信する機能を有する。また、外部インタフェース３５を介して物品の分割指示を受信した場合は、分割指示を整理し、外部インタフェース３５を介して作業現場に分割指示を送信するものである。さらに、外部インタフェース３５を介して作業現場からタグの複製情報を受信すると、データベースの更新を行い、更新情報を顧客に送信する機能を有する。処理部３２は、例えばＣＰＵ等の演算装置と、メモリ等の記憶装置によって実現される。
【００３９】
入力部３３は、タグの情報を管理するデータベースに対する命令文を入力する場合等に使用される。入力部３３は、例えばキーボード、マウス、タッチパッド等の入力装置によって実現される。
【００４０】
表示部３４は、タグの情報を管理するデータベースの情報を表示する場合等に使用される。表示部３４は、例えばＣＲＴ、ＬＣＤ等の表示装置によって実現される。
【００４１】
外部インタフェース３５は、外部の機器との情報の送受信を行うものである。外部インタフェース３５は、例えばＲＦＩＤタグ複製装置２０、ＰＣ等のその他端末と接続するためのシリアル、パラレル、ネットワーク等によって実現される。
【００４２】
次に、図５を参照（適宜図１および図２参照）して、本発明の第１実施形態に係る管理サーバ３０の記憶部３１に格納されるデータベースの構成について説明する。図５は、本発明の第１実施形態に係る管理サーバで管理されるデータベースのデータ構造を示す図であり、図５（ａ）は、データベースのフォーマットを示し、図５（ｂ）は、データベースのフォーマットを視覚的に示したものである。
【００４３】
管理サーバ３０の記憶部３１は、タグの情報を管理するデータベース（以下、「タグ情報管理ＤＢ」という）３１０を含んで構成される。図５（ａ）に示すように、タグ情報管理ＤＢ３１０は、自己タグＩＤ３１０ａ列と、親タグＩＤ３１０ｂ列と、第一子タグＩＤ３１０ｃ列と、兄タグＩＤ３１０ｄ列と、弟タグＩＤ３１０ｅ列と、データ書込日時３１０ｆ列とを含んで構成される。
【００４４】
自己タグＩＤ３１０ａは、当該タグ自身のＩＤを表している。また、タグ情報管理ＤＢ３１０の主キーである。
親タグＩＤ３１０ｂは、当該タグに複製元となったタグがあるかを示しており、複製元となったタグがある場合は、直接の複製元となったタグのＩＤが書き込まれる。
第一子タグＩＤ３１０ｃは、当該タグから複製されたタグがあるかを示しており、直接当該タグから複製されたもののうち、最初に複製したタグのＩＤが書き込まれる。
兄タグＩＤ３１０ｄは、当該タグが親タグＩＤを持ったタグにとって第一子タグでない場合に書き込まれ、同じ親タグＩＤを持ち、当該タグのデータ書込日時より古いデータ書込日時を持つタグの中で、最後に複製されたタグのＩＤが書き込まれる。
弟タグＩＤ３１０ｅは、当該タグと同じ親タグＩＤを持ち、当該タグのデータ書込日時より新しいデータ書込日時を持つタグの中で、最初に複製されたタグのＩＤが書き込まれる。
データ書込日時３１０ｆは、親タグＩＤを持たない場合は当該タグに物品情報が書き込まれた日時、それ以外の場合は親タグから複製された日時が書き込まれる。
なお、表中「−」で示した部分は、その項目に該当するＩＤが存在しないことを表している。
【００４５】
図５（ｂ）には、図５（ａ）に示されたタグ情報管理ＤＢ３１０をツリー状にして表した図（以下、「タグ情報管理ツリー」という）３１１が示されている。これは、タグ情報管理ＤＢ３１０を視覚的に表現したものである。
【００４６】
次に、図６および図７を参照（適宜図１、図２、および図５参照）して、本発明の第１実施形態に係る管理サーバ３０の処理部３２が行う処理について説明する。図６および図７は、本発明の第１実施形態に係る管理サーバの処理を示すフローチャートである。
【００４７】
まず、処理部３２は、外部インタフェース３５を介してＲＦＩＤタグ複製装置２０から複製元のタグＩＤ、複製先のタグＩＤおよびデータ書込日時を受信する（Ｓ２０１）。
処理部３２は、ＲＦＩＤタグ複製装置２０から受信した複製元のタグＩＤと一致する自己タグＩＤ３１０ａをもつタグの情報をタグ情報管理ＤＢ３１０から取得し（Ｓ２０２）、タグ情報管理ＤＢ３１０から取得したタグの情報内の第一子タグＩＤ３１０ｃが書込済みであるかを判定する（Ｓ２０３）。タグ情報管理ＤＢ３１０から取得したタグの情報内の第一子タグＩＤ３１０ｃが未書込の場合（Ｓ２０３でＮｏの場合）、Ｓ２０４に進み、書込済みの場合（Ｓ２０３でＹｅｓの場合）、端子Ａを介して、図７に示したＳ２０６に進む。
【００４８】
Ｓ２０４に進んだ場合、処理部３２は、タグ情報管理ＤＢ３１０から取得したタグの情報内の第一子タグＩＤ３１０ｃに、ＲＦＩＤタグ複製装置２０から受信した複製先のタグＩＤを設定し、タグ情報管理ＤＢ３１０を更新する（Ｓ２０４）。また、処理部３２は、自己タグＩＤ３１０ａ、親タグＩＤ３１０ｂおよびデータ書込日時３１０ｆの値が、それぞれＲＦＩＤタグ複製装置２０から受信した複製先のタグＩＤ、ＲＦＩＤタグ複製装置２０から受信した複製元のタグＩＤおよび現在日時であるデータを作成し、タグ情報管理ＤＢ３１０に登録し（Ｓ２０５）、処理を終了する。
【００４９】
図７に示したＳ２０６に進んだ場合、処理部３２は、タグ情報管理ＤＢ３１０から取得したタグの情報内の第一子タグＩＤ３１０ｃと一致する自己タグＩＤ３１０ａをもつタグの情報をタグ情報管理ＤＢから取得し、関連付けタグの情報とし（Ｓ２０６）、関連付けタグの情報内の弟タグＩＤ３１０ｅが書込済みであるかを判定する（Ｓ２０７）。
【００５０】
関連付けタグの情報内の弟タグＩＤ３１０ｅが書込済みの場合（Ｓ２０７でＹｅｓの場合）、関連付けタグの情報内の弟タグＩＤ３１０ｅと一致する自己タグＩＤ３１０ａをもつタグの情報をタグ情報管理ＤＢから取得し、改めて関連付けタグの情報とする（Ｓ２１０）。そして、関連付けタグの情報内の弟タグＩＤ３１０ｅが未書込となるまでＳ２１０の処理を繰り返す。
【００５１】
関連付けタグの情報内の弟タグＩＤ３１０ｅが未書込の場合（Ｓ２０７でＮｏの場合）、関連付けタグの情報内の弟タグＩＤ３１０ｅにＲＦＩＤタグ複製装置２０から受信した複製先のタグＩＤを設定し、タグ情報管理ＤＢ３１０を更新する（Ｓ２０８）。また、処理部３２は、自己タグＩＤ３１０ａ、親タグＩＤ３１０ｂ、兄タグＩＤ３１０ｄおよびデータ書込日時３１０ｆの値が、それぞれＲＦＩＤタグ複製装置２０から受信した複製先のタグＩＤ、ＲＦＩＤタグ複製装置２０から受信した複製元のタグＩＤ、関連付けタグの情報内の自己タグＩＤ３１０ａおよび現在日時であるデータを作成し、タグ情報管理ＤＢ３１０に登録し（Ｓ２０９）、端子Ｂを介して、図６に戻って処理を終了する。
【００５２】
次に、図８を参照して、本発明の第１実施形態に係る管理サーバ３０の処理部３２によるタグ情報管理ＤＢ３１０の更新について具体例を用いて説明する。図８は、本発明の第１実施形態に係る管理サーバによるタグ情報管理ＤＢの更新例を説明する図であり、図８（ａ）は、タグの情報が追加される前の段階、図８（ｂ）は、タグの情報が追加された段階、図８（ｃ）は、さらに別のタグの情報が追加された段階を説明する図である。なお、図８において、網掛けで示した箇所は、データが更新されたことを表している。
【００５３】
図８（ａ）に示す段階においては、タグ−１からタグ−５までの情報がタグ情報管理ＤＢ４０ａに書き込まれている。タグ情報管理ツリー４１ａは、タグ情報管理ＤＢ４０ａを視覚的に表現したものである。
【００５４】
図８（ａ）に示す段階で、新規にタグの情報が１件追加されると、図８（ｂ）に示す段階となる。追加するタグ−６の情報内の親タグＩＤには、タグ−３のＩＤが書き込まれているので、タグ−３がタグ−６の親タグとなる。そして、図８（ａ）に示すように、タグ−３の第一子タグＩＤが未書込であるので、タグ−６がタグ−３の第一子タグとなり、タグ−３の第一子タグＩＤにタグ−６のＩＤが書き込まれる。また、図８（ｂ）に示すように、タグ情報管理ＤＢ４０ｂには、タグ−６の情報が追加される。タグ情報管理ツリー４１ｂは、タグ情報管理ＤＢ４０ｂを視覚的に表現したものである。
【００５５】
図８（ｂ）に示す段階で、さらに別のタグの情報が１件追加されると、図８（ｃ）に示す段階となる。追加するタグ−７の情報内の親タグＩＤには、タグ−２のＩＤが書き込まれているので、タグ−２がタグ−７の親タグとなる。しかし、図８（ｂ）に示すように、タグ−２の第一子タグＩＤにはタグ−３のＩＤが書き込まれているため、タグ−７はタグ−２の第一子タグとはならない。そして、図８（ｂ）に示すように、タグ−２の第一子タグであるタグ−３の弟タグＩＤを参照すると、タグ−５が格納されているため、今度は、タグ−５の弟タグＩＤを参照する。図８（ｂ）に示すように、タグ−５の弟タグＩＤは未書込であるので、タグ−７がタグ−５の弟タグとなり、タグ−５の弟タグＩＤにタグ−７のＩＤが書き込まれる。また、図８（ｃ）に示すように、タグ情報管理ＤＢ４０ｃには、タグ−７の情報が追加される。タグ情報管理ツリー４１ｃは、タグ情報管理ＤＢ４０ｃを視覚的に表現したものである。
【００５６】
次に、図９を参照して、本発明の第１実施形態に係るタグ情報管理システムの処理について説明する。図９は、本発明の第１実施形態に係るタグ情報管理システムの処理を説明する模式図であり、図９（ａ）は、顧客が物品の分割を現場作業者に指示する場面を示す模式図、図９（ｂ）は、現場作業者が物品の分割を行う場面を示す模式図、図９（ｃ）は、現場作業者がタグの複製を行う場面を示す模式図である。ここで、顧客サイド５１は、顧客５１０と、顧客端末５１１とを含んで構成される。また、管理サイド５２は、管理サーバ３０を含んで構成される。作業現場５３ａ、５３ｂおよび５３ｃは、同一の作業現場を示している。
【００５７】
図９（ａ）では、顧客５１０は、顧客端末５１１に、後記する図９（ｂ）のように物品５３２を５３２Ａと５３２Ｂとに分割するよう指示を入力する。顧客５１０によって入力された分割指示は通信回線５１２を介して、管理サーバ３０へ送信される。管理サーバ３０は、受信した分割指示を整理し、通信回線５２０を介して、担当の現場作業者端末５３０へ分割指示を送信する。現場作業者５３１は、現場作業者端末５３０から作業指示を受けとる。
【００５８】
図９（ｂ）に示すように、現場作業者５３１は、分割指示に従い、第１のＲＦＩＤタグ１０Ａの取り付けられた物品５３２を分割し、タグの取り付けられていない物品（この場合、物品５３２Ｂ）に対して、第２のＲＦＩＤタグ１０Ｂを取り付ける。
【００５９】
図９（ｃ）に示すように、現場作業者５３１は、ＲＦＩＤタグ複製装置２０を使用し、第１のＲＦＩＤタグ１０Ａの情報を第２のＲＦＩＤタグ１０Ｂへ複製し、ＲＦＩＤタグ複製装置２０は、複製情報（複製元のタグＩＤ、複製先のタグＩＤおよびデータ書込日時）を現場作業者端末５３０に送信する。複製情報は、通信回線５２０を介して管理サーバ３０に送信される。管理サーバ３０は、受信した複製情報を用いてタグ情報管理ＤＢ３１０（図５（ａ）参照）を更新する。管理サーバ３０は、この更新情報を、通信回線５１２を介して顧客端末５１１に送信する。なお、一連の工程から管理サーバ３０をなくし、代わりに現場作業者端末５３０が管理サーバ３０の役割を担うことも可能である。
【００６０】
次に、図１０を参照（適宜図９参照）して、本発明の第１実施形態に係る顧客端末５１１の画面遷移について説明する。図１０は、本発明の第１実施形態に係る顧客端末の画面遷移を示す図であり、図１０（ａ）は、遷移前のタグ情報管理ＤＢ画面、図１０（ｂ）は、遷移後のタグ情報管理ＤＢ画面を示す図である。
【００６１】
図１０（ａ）に示すように、ディスプレイ６００には、遷移前のタグ情報管理ＤＢ画面６１０が表示される。顧客５１０は、物品５３２を分割する際に、まずタグ情報管理ＤＢ３１０（図５（ａ）参照）のデータを管理サーバ３０から取得する。取得したデータがディスプレイ６００に遷移前のタグ情報管理ＤＢ画面６１０として表示される。顧客５１０は、遷移前のタグ情報管理ＤＢ画面６１０を参照して、物品５３２を分割する指示を入力することが可能である。
【００６２】
図１０（ｂ）に示すように、図９に示した一連の作業が行われた後、管理サーバ３０からタグ情報管理ＤＢ３１０（図５（ａ）参照）の更新情報が送信され、ディスプレイ６００は、遷移後のタグ情報管理ＤＢ画面６２０に示すように表示される。このとき、更新された部分（タグ−３の第一子タグＩＤとタグ−６の行）の色を変えることで、更新された部分を視覚的に把握し易くすることも可能である。
【００６３】
（第２実施形態）
続いて、本発明の第２実施形態について説明する。第２実施形態は、タグ内のデータ構造に関するものであり、タグ内のデータとして複製履歴を保持させる点が、第１実施形態と異なる。したがって、それ以外の第１実施形態と共通する部分については、同じ符号を付し、説明を省略する。
【００６４】
図１１を参照（適宜図１参照）して、本発明の第２実施形態に係るＲＦＩＤタグに格納されるデータの構造について説明する。図１１は、本発明の第２実施形態に係るＲＦＩＤタグのデータ構造を示す図であり、図１１（ａ）は、第１のＲＦＩＤタグのデータ構造、図１１（ｂ）は、第２のＲＦＩＤタグのデータ構造を示す図である。
【００６５】
図１１（ａ）に示すように、第１のＲＦＩＤタグの情報７００Ａは、タグＩＤ７１０Ａと、物品情報７２０Ａと、複製管理情報７３０Ａとを含んで構成される。また、複製管理情報７３０Ａは、有効フラグ７３１Ａと、データ書込日時７３２Ａと、複製履歴７３３Ａとを含んで構成される。また、タグＩＤ７１０Ａ以外の項目のビットは「０」などで初期化しておくことが好ましい。タグを複製する場合ではなく、物品の情報をタグに直接書き込む場合には、例えば、リーダライタ等を用いて、物品情報７２０Ａ、有効フラグ７３１Ａ、およびデータ書込日時７３２Ａに、それぞれ物品の材質等の情報、「１（書込済み）」および現在の日時を書き込むようにする。
【００６６】
タグＩＤ７１０Ａは、ＲＦＩＤタグに固有のＩＤであり、ＲＦＩＤタグの生産時にタグ毎に違った番号が書き込まれる。
物品情報７２０Ａは、第１のＲＦＩＤタグ１０Ａの取り付けられた物品の材質などの情報を表すものである。
複製管理情報７３０Ａは、物品が分割または複製された場合の各種情報を管理するためのものである。
有効フラグ７３１Ａは、第１のＲＦＩＤタグ１０Ａにデータが書き込まれているかどうかを判定するために用いるものである。例えば、未書込の場合には、「０」を設定し、書込済みの場合には「１」を設定するなどの方法が考えられる。また、有効フラグ７３１Ａは、必須のものではなく、タグＩＤ７１０Ａ以外の項目が「０」で初期化された状態のままであれば、未書込であると判定するようにしてもよい。
データ書込日時７３２Ａは、第１のＲＦＩＤタグ１０Ａに情報が書き込まれた日時を表すものである。
複製履歴７３３Ａは、過去の複製履歴を表すものである。複製履歴７３３Ａの詳細については、後記する。
【００６７】
図１１（ｂ）に示すように、第２のＲＦＩＤタグの情報７００Ｂは、タグＩＤ７１０Ｂと、物品情報７２０Ｂと、複製管理情報７３０Ｂとを含んで構成される。また、複製管理情報７３０Ｂは、有効フラグ７３１Ｂと、データ書込日時７３２Ｂと、複製履歴７３３Ｂとを含んで構成される。
【００６８】
第２のＲＦＩＤタグの情報７００Ｂのデータ構造は、第１のＲＦＩＤタグ１０Ａのデータ構造と同じであるため、第２のＲＦＩＤタグの情報７００Ｂ内の各項目の説明を省略する。
【００６９】
図１２を参照（適宜図１参照）して、本発明の第２実施形態に係るＲＦＩＤタグ複製装置２０の処理部２２が行う処理について説明する。図１２は、本発明の第２実施形態に係るＲＦＩＤタグ複製装置の処理を示すフローチャートである。
【００７０】
まず、オペレータがＲＦＩＤタグ複製装置２０を操作し、第１のＲＦＩＤタグ１０Ａの記憶部１３Ａに格納されている第１のＲＦＩＤタグの情報７００ＡをＲＦＩＤタグ複製装置２０に読み込ませる。同様に、第２のＲＦＩＤタグ１０Ｂの記憶部１３Ｂに格納されている第２のＲＦＩＤタグの情報７００ＢもＲＦＩＤタグ複製装置２０に読み込ませる（Ｓ３０１）。
【００７１】
処理部２２は、読み込んだ第１のＲＦＩＤタグの情報７００Ａおよび第２のＲＦＩＤタグの情報７００Ｂを記憶部２１に格納する（Ｓ３０２）。
続いて、処理部２２は、記憶部２１に格納された有効フラグ７３１Ａの値を判定する（Ｓ３０３）。記憶部２１に格納された有効フラグ７３１Ａの値が「１（書込済み）」の場合（Ｓ３０３でＹｅｓの場合）、Ｓ３０４に進み、「０（未書込）」の場合（Ｓ３０３でＮｏの場合）、Ｓ３０８に進む。
【００７２】
Ｓ３０４に進んだ場合、処理部２２は、記憶部２１に格納された有効フラグ７３１Ｂの値を判定する（Ｓ３０４）。記憶部２１に格納された有効フラグ７３１Ｂの値が「０（未書込）」の場合（Ｓ３０４でＹｅｓの場合）、第１のＲＦＩＤタグ１０Ａが複製元のタグ、第２のＲＦＩＤタグ１０Ｂが複製先のＲＦＩＤタグであると判定され、処理部２２は、物品情報７２０Ｂ、有効フラグ７３１Ｂおよびデータ書込日時７３２Ｂに、それぞれ物品情報７２０Ａ、「１（書込済み）」および現在の日時を書き込む（Ｓ３０５）。また、処理部２２は、複製履歴７３３Ｂに複製履歴７３３Ａを複製し、タグＩＤ７１０Ａおよびデータ書込日時７３２Ａを追記し（Ｓ３０６）、処理を終了する。記憶部２１に格納された有効フラグ７３１Ｂの値が「１（書込済み）」の場合（Ｓ３０４でＮｏの場合）、エラー表示を行い（Ｓ３０７）、処理を終了する。
【００７３】
Ｓ３０８に進んだ場合、処理部２２は、記憶部２１に格納された有効フラグ２３１Ｂの値を判定する（Ｓ３０８）。記憶部２１に格納された有効フラグ２３１Ｂの値が「１（書込済み）」の場合（Ｓ３０８でＹｅｓの場合）、第２のＲＦＩＤタグ１０Ｂが複製元のタグ、第１のＲＦＩＤタグ１０Ａが複製先のＲＦＩＤタグであると判定され、処理部２２は、物品情報７２０Ａ、有効フラグ７３１Ａおよびデータ書込日時７３２Ａに、それぞれ物品情報７２０Ｂ、「１（書込済み）」および現在の日時を書き込む（Ｓ３０９）。また、処理部２２は、複製履歴７３３Ａに複製履歴７３３Ｂを複製し、タグＩＤ７１０Ｂおよびデータ書込日時７３２Ｂを追記し（Ｓ３１０）、処理を終了する。記憶部２１に格納された有効フラグ７３１Ｂの値が「０（未書込）」の場合（Ｓ３０８でＮｏの場合）、エラー表示を行い（Ｓ３１１）、処理を終了する。
【００７４】
図１３を参照（適宜図１参照）して、本発明の第２実施形態に係るＲＦＩＤタグ複製装置２０の処理部２２が行う複製履歴の作成処理について説明する。図１３は、本発明の第２実施形態に係る複製履歴の作成例を説明する図であり、図１３（ａ）は、タグ−１のデータ構造、図１３（ｂ）は、タグ−２のデータ構造、図１３（ｃ）は、タグ−３のデータ構造を示す図である。ここでは、タグ−１を複製して、タグ−２を作成し、タグ−２を複製して、タグ−３を作成するものとする。
【００７５】
図１３（ａ）に示すタグ−１の情報８００Ａは、リーダライタ等を用いて、物品情報８２０Ａ、有効フラグ８４０Ａおよびデータ書込日時８５０Ａに、それぞれ物品の材質等の情報、「１（書込済み）」および現在の日時を書き込んだものである。複製履歴８６０Ａは、履歴追記用領域８７０Ａから構成され、複製履歴８６０Ａには、実質的に何も書かれていない。
【００７６】
図１３（ｂ）に示すタグ−２の情報８００Ｂは、ＲＦＩＤタグ複製装置２０を用いて、タグ−１の情報８００Ａを複製したものである。物品情報８２０Ｂ、有効フラグ８４０Ｂおよびデータ書込日時８５０Ｂには、それぞれ物品情報８２０Ａ、「１（書込済み）」および現在の日時が書き込まれる。また、複製履歴８６０Ｂには、複製履歴８６０Ａが複製され、複製履歴８６０Ｂには、タグＩＤ８１０Ａおよびデータ書込日時８５０Ａが追記される。
【００７７】
図１３（ｃ）に示すタグ−３の情報８００Ｃは、ＲＦＩＤタグ複製装置２０を用いて、タグ−２の情報８００Ｂを複製したものである。物品情報８２０Ｃ、有効フラグ８４０Ｃおよびデータ書込日時８５０Ｃには、それぞれ物品情報８２０Ｂ、「１（書込済み）」および現在の日時が書き込まれる。また、複製履歴８６０Ｃには、複製履歴８６０Ｂが複製され、複製履歴８６０Ｃには、タグＩＤ８１０Ｂおよびデータ書込日時８５０Ｂが追記される。
【００７８】
以上のように、第２実施形態においては、タグ情報の複製履歴をタグ自体に持たせることで、例えば、ＲＦＩＤタグ複製装置に表示手段を設け、ＲＦＩＤタグの複製履歴を表示手段に出力することによって、作業者が現場で複製履歴を容易に確認することが可能となる。
【００７９】
また、本発明の第１実施形態および第２実施形態において開示されたＲＦＩＤタグの複製技術は、例えば、原子力プラント等で使用される配管を分割する際に利用することが可能である。また、例えば、野菜や果物を大箱から小分けして小箱に入れるとき、牛肉などのブロックを小分けするときなどにも利用することが可能である。しかし、本発明の適用分野はこれらに限定されず、ＲＦＩＤタグを複製する必要が生じたあらゆる場面において、適用することが可能である。
【図面の簡単な説明】
【００８０】
【図１】本発明の第１実施形態に係るＲＦＩＤタグ複製システムのブロック図である。
【図２】本発明の第１実施形態に係るＲＦＩＤタグのデータ構造を示す図であり、図２（ａ）は、第１のＲＦＩＤタグのデータ構造、図２（ｂ）は、第２のＲＦＩＤタグのデータ構造を示す図である。
【図３】本発明の第１実施形態に係るＲＦＩＤタグ複製装置の処理を示すフローチャートである。
【図４】本発明の第１実施形態に係る管理サーバのブロック図である。
【図５】本発明の第１実施形態に係る管理サーバで管理されるデータベースのデータ構造を示す図であり、図５（ａ）は、データベースのフォーマットを示し、図５（ｂ）は、データベースのフォーマットを視覚的に示したものである。
【図６】本発明の第１実施形態に係る管理サーバの処理を示すフローチャートである。
【図７】本発明の第１実施形態に係る管理サーバの処理を示すフローチャートである。
【図８】本発明の第１実施形態に係る管理サーバによるタグ情報管理ＤＢの更新例を説明する図であり、図８（ａ）は、タグの情報が追加される前の段階、図８（ｂ）は、タグの情報が追加された段階、図８（ｃ）は、さらに別のタグの情報が追加された段階を説明する図である。
【図９】本発明の第１実施形態に係るタグ情報管理システムの処理を説明する模式図であり、図９（ａ）は、顧客が物品の分割を現場作業者に指示する場面を示す模式図、図９（ｂ）は、現場作業者が物品の分割を行う場面を示す模式図、図９（ｃ）は、現場作業者がタグの複製を行う場面を示す模式図である。
【図１０】本発明の第１実施形態に係る顧客端末の画面遷移を示す図であり、図１０（ａ）は、遷移前のタグ情報管理ＤＢ画面、図１０（ｂ）は、遷移後のタグ情報管理ＤＢ画面を示す図である。
【図１１】本発明の第２実施形態に係るＲＦＩＤタグのデータ構造を示す図であり、図１１（ａ）は、第１のＲＦＩＤタグのデータ構造、図１１（ｂ）は、第２のＲＦＩＤタグのデータ構造を示す図である。
【図１２】本発明の第２実施形態に係るＲＦＩＤタグ複製装置の処理を示すフローチャートである。
【図１３】本発明の第２実施形態に係る複製履歴の作成例を説明する図であり、図１３（ａ）は、タグ−１のデータ構造、図１３（ｂ）は、タグ−２のデータ構造、図１３（ｃ）は、タグ−３のデータ構造を示す図である。
【符号の説明】
【００８１】
１      ＲＦＩＤタグ複製システム
１０Ａ  第１のＲＦＩＤタグ
１０Ｂ  第２のＲＦＩＤタグ
１１Ａ，１１Ｂ  入出力部
１２Ａ，１２Ｂ  処理部
１３Ａ，１３Ｂ  記憶部
２０    ＲＦＩＤタグ複製装置
２１    記憶部
２２    処理部
２３    外部インタフェース
２４    入出力部
３０    管理サーバ
３１    記憶部
３２    処理部
３３    入力部
３４    表示部
３５    外部インタフェース
４１ａ，４１ｂ，４１ｃ  タグ情報管理ツリー
２３１Ａ，２３１Ｂ  有効フラグ
２３３Ａ，２３３Ｂ  データ書込日時
３１０  タグ情報管理ＤＢ
５１１  顧客端末
５１２  通信回線
６１０，６２０  タグ情報管理ＤＢ画面
７３３Ａ，７３３Ｂ  複製履歴
【図１】
2006331106.tif 000003
【図２】
2006331106.tif 000004
【図３】
2006331106.tif 000005
【図４】
2006331106.tif 000006
【図５】
2006331106.tif 000007
【図６】
2006331106.tif 000008
【図７】
2006331106.tif 000009
【図８】
2006331106.tif 000010
【図９】
2006331106.tif 000011
【図１０】
2006331106.tif 000012
【図１１】
2006331106.tif 000013
【図１２】
2006331106.tif 000014
【図１３】
2006331106.tif 000015